(57)【要約】【課題】システムの装置数の増加を抑え、システムのコストを軽減する。【解決手段】放射線撮影システム内の放射線撮影装置の状態を表示する状態表示装置であって、前記放射線撮影装置との間で通信手段を介して通信するための通信情報を、無線通信手段を介して前記放射線撮影装置に送信する送信手段と、前記送信手段により送信された通信情報が設定された放射線撮影装置を含む複数の放射線撮影装置のうち一の放射線撮影装置の状態を前記通信手段を介して受信して、表示する状態表示手段と、を有する。【選択図】図３
2014171540.tif 000002
【特許請求の範囲】
【請求項１】
放射線撮影システム内の放射線撮影装置の状態を表示する状態表示装置であって、
前記放射線撮影装置との間で通信手段を介して通信するための通信情報を、無線通信手段を介して前記放射線撮影装置に送信する送信手段と、
前記送信手段により送信された通信情報が設定された放射線撮影装置を含む複数の放射線撮影装置のうち一の放射線撮影装置の状態を前記通信手段を介して受信して、表示する状態表示手段と、
を有することを特徴とする状態表示装置。
【請求項２】
前記送信手段により送信された通信情報に基づいて前記通信手段を介する通信が設定された放射線撮影装置から、前記無線通信手段を介して設定完了の情報を受信する受信手段と、
前記受信手段により受信された設定完了の情報に応じて、前記通信手段を介する通信の設定完了を表示する完了表示手段と、を有することを特徴とする請求項１に記載の状態表示装置。
【請求項３】
前記状態表示手段は、前記複数の放射線撮影装置のうち、前記設定完了の情報を送信した放射線撮影装置の状態を前記通信手段を介して受信して、表示することを特徴とする請求項２に記載の状態表示装置。
【請求項４】
前記状態表示手段は、前記複数の放射線撮影装置のうち選択された一の放射線撮影装置の状態を表示することを特徴とする請求項１ないし３の何れか１項に記載の状態表示装置。
【請求項５】
該状態表示装置は、前記放射線撮影システム内の画像表示装置と通信可能に接続され、
前記状態表示手段は、前記複数の放射線撮影装置のうち一の放射線撮影装置の状態を前記画像表示装置を介して受信して、表示することを特徴とする請求項１ないし４の何れか１項に記載の状態表示装置。
【請求項６】
前記状態表示手段は、前記画像表示装置により表示された前記複数の放射線撮影装置のうちユーザにより選択された一の放射線撮影装置の状態を表示することを特徴とする請求項５に記載の状態表示装置。
【請求項７】
前記送信手段は、前記放射線撮影装置との間で前記通信手段を介して通信するための通信情報と共に、前記放射線撮影装置の表示部に表示させるために前記放射線撮影装置の識別名称を送信し、
前記完了表示手段は、前記通信手段を介する通信による設定完了を表示すると共に、前記放射線撮影装置の識別名称を表示することを特徴とする請求項２または３に記載の状態表示装置。
【請求項８】
前記送信手段は、前記放射線撮影装置との間で通信手段を介して通信するための通信情報と共に、前記放射線撮影装置の表示部に表示させるために前記放射線撮影システムの識別名称を送信し、
前記完了表示手段は、前記通信手段を介する通信による設定完了を表示すると共に、放射線撮影システムの識別名称を表示することを特徴とする請求項２、３または７の何れか１項に記載の状態表示装置。
【請求項９】
操作手段と、
ユーザにより前記操作手段を介して入力された命令を、前記通信手段を介して状態を表示する対象としている前記放射線撮影装置に対して送信する命令送信手段と、を有することを特徴とする請求項１ないし８の何れか１項に記載の状態表示装置。
【請求項１０】
前記無線通信手段は、赤外線通信、Ｎｅａｒ  Ｆｉｅｌｄ  Ｃｏｍｍｕｎｉｃａｔｉｏｎ規格に基づく通信、Ｔｒａｎｓｆｅｒ  Ｊｅｔ規格に基づく通信、ＺｉｇＢｅｅ規格に基づく通信、Ｂｌｕｅｔｏｏｔｈ（登録商標）規格に基づく通信、８０２．１１規格に基づく通信の少なくともいずれかを行う通信回路であることを特徴とする請求項１ないし９の何れか１項に記載の状態表示装置。
【請求項１１】
放射線撮影装置および該放射線撮影装置からの放射線画像データを表示部に表示させる画像表示装置から独立し、該放射線撮影装置の状態を表示する状態表示装置であって、
放射線撮影装置から放射線画像データを無線で受信する通信手段からの信号を受信する第１の受信手段と、
放射線撮影装置からの無線通信パラメータの要求信号を受信する第２の受信手段と、
前記第２の受信手段からの要求信号に応じて前記放射線撮影装置と前記通信手段との無線通信の設定を指示する指示手段と、
前記第１の受信手段を介して受信した、前記無線通信が設定された放射線撮影装置の状態を報知する報知手段と、
前記第１の受信手段と、前記第２の受信手段と、前記指示手段と、前記報知手段とを格納する筐体と、
を有することを特徴とする状態表示装置。
【請求項１２】
放射線撮影システム内の放射線撮影装置の状態を表示する状態表示装置の制御方法であって、
前記放射線撮影装置との間で通信手段を介して通信するための通信情報を、無線通信手段を介して前記放射線撮影装置に送信する送信ステップと、
前記送信ステップにより送信された通信情報が設定された放射線撮影装置を含む複数の放射線撮影装置のうち一の放射線撮影装置の状態を前記通信手段を介して受信して、表示する状態表示ステップと、
を有することを特徴とする状態表示装置の制御方法。
【請求項１３】
放射線撮影システム内の放射線撮影装置の状態を表示する状態表示装置を制御するためのプログラムであって、
前記放射線撮影装置との間で通信手段を介して通信するための通信情報を、無線通信手段を介して前記放射線撮影装置に送信する送信ステップと、
前記送信ステップにより送信された通信情報が設定された放射線撮影装置を含む複数の放射線撮影装置のうち一の放射線撮影装置の状態を前記通信手段を介して受信して、表示する状態表示ステップと、
をコンピュータに実行させるためのプログラム。
【請求項１４】
一または複数の放射線撮影装置と、特定の放射線撮影装置の状態を表示する状態表示装置とを有する放射線撮影システムであって、
前記状態表示装置は、
前記放射線撮影装置との間で通信手段を介して通信するための通信情報を、無線通信手段を介して前記放射線撮影装置に送信する送信手段と、
前記送信手段により送信された通信情報が設定された放射線撮影装置を含む複数の放射線撮影装置のうち一の放射線撮影装置の状態を前記通信手段を介して受信して、表示する状態表示手段と、を有し、
前記放射線撮影装置は、
前記送信手段により送信された通信情報を設定する手段と、を有することを特徴とする放射線撮影システム。
【発明の詳細な説明】
【技術分野】
【０００１】
本発明は、放射線撮影装置の状態を表示する状態表示装置などに関する。
【背景技術】
【０００２】
近年、放射線を信号電荷（電気信号）に変換する変換素子を、二次元に配列したセンサアレーを用いたフラットパネル型の放射線撮像装置が普及しつつある。特許文献１には、このようなフラットパネル型の放射線撮影装置を所望の放射線発生装置に無線で同期させて制御することができる放射線撮影システムが開示されている。特許文献１の放射線撮影システムでは、一つの放射線撮影装置を異なるＸ線撮影室に使用することができるように、Ｘ線撮影室ごとにエントリー装置を備えている。エントリー装置は使用する放射線撮影装置に対して近接無線通信により通常無線接続関連情報を送信し、放射線撮影装置が通常無線接続関連情報を設定することで通常無線通信部による無線通信を有効にする。このような処理をＸ線撮影室ごとに行うことで一つの放射線撮影装置を異なるＸ線撮影室に使用することができる。
【先行技術文献】
【特許文献】
【０００３】
【特許文献１】特開２０１１−１２０８８５号公報
【特許文献２】特開２０１１−１１５３８４号公報
【発明の概要】
【発明が解決しようとする課題】
【０００４】
しかしながら、上述した特許文献１に開示された放射線撮影システムでは、ユーザが通常無線通信部による無線通信が有効に設定されたか否かを確認することが困難であるという問題がある。例えば、ユーザはエントリー装置を制御する画像処理用ＰＣから無線通信が有効に設定されたかを確認することが考えられるが、設定の度に画像処理用ＰＣまで移動して確認するのはユーザのワークフローの動線を考慮すると非効率的である。
【０００５】
一方、特許文献２には、撮影部と信号送受信機との間の信号受信状態を視覚的に確認するための信号受信状態表示部を撮影部と分離して設けた放射線画像撮影システムが開示されている。このような放射線画像撮影システムによれば、撮影部と信号送受信機との間の信号受信状態を確認することができる。したがって、ユーザが画像処理用ＰＣまで移動して無線通信が有効に設定されたか否かを確認する必要がなく、ユーザのワークフローの動線の自由度が向上する。
【０００６】
しかしながら、放射線撮影システムにエントリー装置や信号受信状態表示部を設けるとシステムの装置数が増加して、システムのコストが上昇してしまう。また、一つの放射線撮影システムに複数の放射線撮影装置を無線通信させたい場合には、放射線撮影装置ごとに信号受信状態表示部を設けなければならないことから、更にシステムのコストが上昇してしまうという問題がある。
【０００７】
本発明は上述したような問題点に鑑みてなされたものであり、複数の放射線撮影装置の状態を確認できる放射線撮影システムを構成する場合にシステムの装置数の増加を抑え、システムのコストを軽減させることを目的とする。
【課題を解決するための手段】
【０００８】
本発明は、放射線撮影システム内の放射線撮影装置の状態を表示する状態表示装置であって、前記放射線撮影装置との間で通信手段を介して通信するための通信情報を、無線通信手段を介して前記放射線撮影装置に送信する送信手段と、前記送信手段により送信された通信情報が設定された放射線撮影装置を含む複数の放射線撮影装置のうち一の放射線撮影装置の状態を前記通信手段を介して受信して、表示する状態表示手段と、を有することを特徴とする。
【発明の効果】
【０００９】
本発明によれば、複数の放射線撮影装置の状態を確認できる放射線撮影システムを構成する場合にシステムの装置数の増加を抑え、システムのコストを軽減することができる。
【図面の簡単な説明】
【００１０】
【図１】第１の実施形態の放射線撮影システムの一例を示す模式図である。
【図２】放射線撮影システムの内部構成の一例を示す図である。
【図３】第１の実施形態の処理を示すフローチャートである。
【図４】第２の実施形態の処理を示すフローチャートである。
【図５】第２の実施形態の通信内容の一例を示す図である。
【図６】第２の実施形態の表示内容の一例を示す図である。
【図７】第３の実施形態の放射線撮影システムの一例を示す模式図である。
【図８】第３の実施形態の処理を示すフローチャートである。
【図９】第３の実施形態の通信内容の一例を示す図である。
【図１０】第３の実施形態の表示内容の一例を示す図である。
【図１１】操作コマンドの一例を示す図である。
【図１２】撮影室Ｃで使用されていた可搬型撮影装置を撮影室Ａで使用する場合を示す図である。
【発明を実施するための形態】
【００１１】
以下、本発明に係る実施形態について図面を参照して説明する。
（第１の実施形態）
図１は、本実施形態に係る放射線撮影システム１００の一例を示す模式図である。
放射線撮影システム１００には、可搬型撮影装置（放射線撮影装置）１１０、据置型撮影装置（放射線撮影装置）１２０、放射線発生装置１３０、状態表示装置１４０、画像表示装置１５０、無線ＬＡＮ基地局１６０が含まれている。
【００１２】
放射線撮影システム１００のうち、可搬型撮影装置１１０、据置型撮影装置１２０、状態表示装置１４０および無線ＬＡＮ基地局１６０は撮影室１０１内に配置され、画像表示装置１５０は制御室１０２に配置される。据置型撮影装置１２０、放射線発生装置１３０、画像表示装置１５０および無線ＬＡＮ基地局１６０は、放射線撮影装置群を制御したり、画像を転送したりするために、有線ＬＡＮ１０３で相互に接続されている。また、本実施形態では、状態表示装置１４０と画像表示装置１５０とは、例えば状態表示装置１４０のコネクタに接続されたＵＳＢケーブル１０４により、有線ＬＡＮ１０３とは別途に通信可能に接続されている。
【００１３】
可搬型撮影装置１１０は、表示部１１１、無線ＬＡＮ基地局１６０との間で通信する無線ＬＡＮインターフェース１１２、状態表示装置１４０との間で無線通信するための赤外線通信インターフェース１１３、撮影部１１４、操作部１１５を有している。
可搬型撮影装置１１０は、無線ＬＡＮインターフェース１１２と無線ＬＡＮ基地局１６０との間の通信を介して画像表示装置１５０により制御され、撮影した放射線画像データを画像表示装置１５０に送信する。ここで、無線ＬＡＮ基地局１６０は、通信手段の一例であって、通信回路を有している。なお、無線ＬＡＮインターフェース１１２と無線ＬＡＮ基地局１６０と間の通信は、無線ＬＡＮ基地局１６０の無線通信パラメータ、例えばＳＳＩＤ（サービスセットＩＤ）を可搬型撮影装置１１０に設定することで開始される。
また、赤外線通信インターフェース１１３は、無線ＬＡＮに比べて通信範囲および通信速度が低下するものの、状態表示装置１４０との間で通信を随時行うことができる。ここで、状態表示装置１４０の赤外線通信インターフェース１４３の通信回路は、無線通信手段の一例に対応する。
【００１４】
図２（ａ）は、可搬型撮影装置１１０の内部構成の一例を示すブロック図である。可搬型撮影装置１１０は、ＣＰＵ１１６、不揮発性メモリとしてのＲＯＭ１１７および揮発性メモリとしてのＲＡＭ１１８などを有している。ＣＰＵ１１６は可搬型撮影装置１１０全体を制御する。また、ＣＰＵ１１６は、ＲＯＭ１１７に記憶されたプログラムをＲＡＭ１１８に展開して実行することで可搬型撮影装置１１０の後述するフローチャートの処理を実現する。
【００１５】
状態表示装置１４０は、報知手段の一例としての表示部１４１、報知手段の一例としての報知部１４２、可搬型撮影装置１１０との間で無線通信するための赤外線通信インターフェース１４３、操作部１４４などを有し、これらを筐体に格納している。状態表示装置１４０は、上述した可搬型撮影装置１１０、据置型撮影装置１２０、画像表示装置１５０とは独立して構成される。表示部１４１は、例えばＬＥＤ表示器であり、可搬型撮影装置１１０および据置型撮影装置１２０の少なくとも何れかの状態を表示する。状態とは、例えば、放射線撮影装置が待機状態であるか、準備完了状態であるか、処理がビジーであるか、何らかのエラーが発生しているかなどである。状態表示装置１４０は、表示部１４１に放射線撮像装置の状態を表示したり、状態が変化したときには報知部１４２により音を発生させたりすることでユーザに報知する。
【００１６】
図２（ｂ）は、状態表示装置１４０の内部構成の一例を示すブロック図である。状態表示装置１４０は、ＣＰＵ１４５、ＲＯＭ１４６およびＲＡＭ１４７などを有している。ＣＰＵ１４５は状態表示装置１４０全体を制御する。また、ＣＰＵ１４５は、ＲＯＭ１４６に記憶されたプログラムをＲＡＭ１４７に展開して実行することで状態表示装置１４０の後述するフローチャートの処理を実現する。
また、図２（ｃ）は、画像表示装置１５０の構成の一例を示すブロック図である。画像表示装置１５０は、情報処理装置であり、ＣＰＵ１５１、ＲＯＭ１５２、ＲＡＭ１５３、ＨＤＤ１５４および操作部１５５、表示部１５６などを有している。ＣＰＵ１５１は、ＲＯＭ１５２に記憶されたプログラムをＲＡＭ１５３に展開して実行することで画像表示装置１５０の後述するフローチャートの処理を実現する。また、ＨＤＤ（ハードディスクドライブ）１５４は、可搬型撮影装置１１０の識別名称や据置型撮影装置１２０の識別名称などを格納している。操作部１５５は、例えばキーボードであり、ユーザが画像表示装置１５０に対して指示を入力したり、表示部１５６に表示される放射線撮影装置の一覧から一の放射線撮影装置を選択したりする場合に用いられる。表示部１５６は、放射線撮影装置により撮影された画像を表示したり、使用可能な放射線撮影装置の一覧を表示したりする。
【００１７】
次に、放射線撮影システム１００に据置型撮影装置１２０のみが存在する状態について説明する。このような状態では、状態表示装置１４０は据置型撮影装置１２０の状態を表示する。具体的には、画像表示装置１５０のＣＰＵ１５１は、有線ＬＡＮ１０３を介して据置型撮影装置１２０の状態を受信し、受信した据置型撮影装置１２０の状態を状態表示装置１４０に送信する。状態表示装置１４０は受信した状態を表示部１４１に表示することで据置型撮影装置１２０の状態をユーザに報知することができる。
【００１８】
次に、放射線撮影システム１００に可搬型撮影装置１１０を追加し、可搬型撮影装置１１０を使用可能にする場合について説明する。放射線撮影システム１００に可搬型撮影装置１１０を追加するには、ユーザは可搬型撮影装置１１０を状態表示装置１４０に対向させる。次に、ユーザは可搬型撮影装置１１０の操作部１１５の一部である通信開始スイッチあるいは状態表示装置１４０の操作部１４４の一部である通信開始スイッチの何れかを押下する。通信開始スイッチの押下に応じて、可搬型撮影装置１１０と状態表示装置１４０との間の通信が開始する。
【００１９】
以下、放射線撮影システム１００の処理を図３のフローチャートを参照して説明する。
ステップＳ３０１では、可搬型撮影装置１１０のＣＰＵ１１６は、無線ＬＡＮ基地局１６０との無線通信を可能にするために通信情報の要求信号を赤外線通信インターフェース１１３を介して状態表示装置１４０に送信する。このとき、可搬型撮影装置１１０のＣＰＵ１１６は、自身の装置情報も状態表示装置１４０に送信する。
ステップＳ３１１では、状態表示装置１４０のＣＰＵ１４５は、赤外線通信インターフェース１４３を介して要求信号および装置情報を受信する。赤外線通信インターフェース１４３は、第２の受信手段の一例に対応する。ここで、通信情報とは、無線ＬＡＮの通信を開始するために必要な無線通信パラメータの情報であって、例えば上述したＳＳＩＤを含む情報である。次に、状態表示装置１４０のＣＰＵ１４５は、通信情報を可搬型撮影装置１１０に送信し、可搬型撮影装置１１０と無線ＬＡＮ基地局１６０との間の通信の設定を指示する。ＣＰＵ１４５は、指示手段の一例に対応する。
【００２０】
ステップＳ３０２では、可搬型撮影装置１１０のＣＰＵ１１６は、通信情報を受信した後、受信した通信情報を設定する。この処理により、可搬型撮影装置１１０と無線ＬＡＮ基地局１６０との間の通信が可能になる。
ステップＳ３０３では、可搬型撮影装置１１０のＣＰＵ１１６は、通信情報の設定完了の通知を状態表示装置１４０に送信する。
ステップＳ３１２では、状態表示装置１４０のＣＰＵ１４５は、設定完了の通知を受信した後、可搬型撮影装置１１０を放射線撮影システム１００に追加した旨、すなわち可搬型撮影装置１１０が通信情報の設定完了した旨をユーザに報知する。この処理は、完了表示手段により処理の一例に対応する。具体的には、ＣＰＵ１４５は表示部１４１であるＬＥＤ表示器を特定のパターンで点灯することにより報知する。なお、可搬型撮影装置１１０が通信情報を設定できなかった場合には、状態表示装置１４０のＣＰＵ１４５は、可搬型撮影装置１１０を放射線撮影システム１００に追加できなかった旨をユーザに報知する。
ステップＳ３１３では、状態表示装置１４０のＣＰＵ１４５は、可搬型撮影装置１１０を放射線撮影システム１００に追加した旨の通知を画像表示装置１５０に送信する。このとき、ＣＰＵ１４５は、追加した可搬型撮影装置１１０の装置情報も画像表示装置１５０に送信する。
【００２１】
ステップＳ３２１では、画像表示装置１５０のＣＰＵ１５１は、追加した旨の通知を受信した後、使用可能な放射線撮影装置の一覧に可搬型撮影装置１１０を追加して表示部１５６に表示する。表示部１５６には、据置型撮影装置１２０と可搬型撮影装置１１０とがリストに表示される。
したがって、ユーザは状態表示装置１４０または画像表示装置１５０の何れかを視認することで、可搬型撮影装置１１０を放射線撮影システム１００に追加する処理が成功したか否かを確認することができる。
【００２２】
上述したように、放射線撮影システム１００と可搬型撮影装置１１０とのＳＳＩＤを一致させたことにより、可搬型撮影装置１１０と無線ＬＡＮ基地局１６０との間で通信が可能になる。したがって、可搬型撮影装置１１０と放射線発生装置１３０とを無線ＬＡＮを介して同期させることができる。また、可搬型撮影装置１１０と画像表示装置１５０とが無線ＬＡＮを介して通信が可能になる。したがって、画像表示装置１５０は、可搬型撮影装置１１０および据置型撮影装置１２０により撮影された放射線画像データを表示部１５６に表示することができる。また、画像表示装置１５０は可搬型撮影装置１１０および据置型撮影装置１２０の両方の状態を受信することができる。
このとき、画像表示装置１５０は、可搬型撮影装置１１０が直近で放射線撮影システム１００に追加されたことを根拠に、可搬型撮影装置１１０が次撮影のために選択されたと判定する。画像表示装置１５０は選択された可搬型撮影装置１１０から受信した可搬型撮影装置１１０の状態を状態表示装置１４０に送信することにより、状態表示装置１４０は可搬型撮影装置１１０の状態を表示する。具体的には、画像表示装置１５０のＣＰＵ１５１が可搬型撮影装置１１０から無線ＬＡＮ基地局１６０を介して可搬型撮影装置１１０の状態を受信し、受信した可搬型撮影装置１１０の状態を状態表示装置１４０に送信する。状態表示装置１４０は可搬型撮影装置１１０の状態をコネクタに接続されたＵＳＢケーブル１０４を介して受信する。コネクタは、第２の受信手段の一例に対応する。状態表示装置１４０は、受信した状態を表示部１４１に表示したり、報知部１４２に音を発生させたりすることでユーザに報知する。
【００２３】
また、画像表示装置１５０は、表示部１５６に表示された複数の放射線撮影装置の一覧から一つの放射線撮影装置をユーザが操作部１５５により選択できるように構成されている。画像表示装置１５０がユーザにより選択された放射線撮影装置の状態を状態表示装置１４０に送信することで、状態表示装置１４０は選択された放射線撮影装置の状態を表示する。したがって、ユーザは放射線撮影装置を選択することで、任意の放射線撮影装置の状態を状態表示装置１４０に表示させることができる。
【００２４】
本実施形態によれば、状態表示装置１４０が放射線撮影装置をシステムに追加するときのシステム側の通信端末を兼ねているため、放射線撮影システム１００の装置数の増加を抑え、コストを軽減することができる。
また、状態表示装置１４０は放射線撮影システム１００を構成する複数の放射線撮影装置のうち選択された一の放射線撮影装置の状態を表示する。したがって、複数の放射線撮影装置ごとに状態表示装置を設ける必要がなく、放射線撮影システム１００の装置数の増加を抑え、コストを軽減することができる。
また、放射線撮影装置を放射線撮影システム１００に追加する処理が成功したか否かを状態表示装置１４０に表示することから、ユーザのワークフローの動線の自由度を向上させることができる。
【００２５】
（第２の実施形態）
第２の実施形態では、可搬型撮影装置１１０を放射線撮影システム１００に追加するときの状態表示装置１４０の処理が、第１の実施形態と異なる。また、状態表示装置１４０の表示部１４１は、文字列などを表示することができる。なお、本実施形態の放射線撮影システム内の構成は、第１の実施形態と同様であり、その説明を省略する。
【００２６】
以下、放射線撮影システム１００の処理を図４のフローチャートおよび図５を参照して説明する。図５は、通信内容の一例を示す図である。ここでは、撮影室Ｃ（ｒｏｏｍＣ）で使用されていた可搬型撮影装置１１０を、撮影室Ａ（ｒｏｏｍＡ）で使用する場合について説明する。
ステップＳ４０１では、可搬型撮影装置１１０のＣＰＵ１１６は、無線ＬＡＮ基地局１６０との無線通信を可能にするために通信情報の要求信号を赤外線通信インターフェース１１３を介して状態表示装置１４０に送信する。このとき、可搬型撮影装置１１０のＣＰＵ１１６は、自身の装置情報も状態表示装置１４０に送信する。具体的には、図５に示すように、可搬型撮影装置１１０のＣＰＵ１１６は、自身の製品種別とシリアル番号を状態表示装置１４０に送信する。
【００２７】
ステップＳ４１１では、状態表示装置１４０のＣＰＵ１４５は、赤外線通信インターフェース１４３を介して要求信号および装置情報を受信する。状態表示装置１４０のＣＰＵ１４５は、受信した装置情報に基づいて当該可搬型撮影装置１１０が放射線撮影システム１００に登録されているか否かを判定する。例えば、状態表示装置１４０は予め自身が記憶している登録済の放射線撮影装置に可搬型撮影装置１１０が存在するか否かを判定する。また、例えば、状態表示装置１４０は、画像表示装置１５０に装置情報を送信し、画像表示装置１５０に可搬型撮影装置１１０が登録済であるかを問い合わせる。画像表示装置１５０は予めＨＤＤ１５４で記憶している登録済の放射線撮影装置に可搬型撮影装置１１０が存在するか否かを判定し、問い合わせの結果を状態表示装置１４０に送信する。可搬型撮影装置１１０が登録されている場合にはステップＳ４１３に進み、登録されていない場合にはステップＳ４１２に進む。
【００２８】
ステップＳ４１２では、状態表示装置１４０のＣＰＵ１４５は、新規に可搬型撮影装置１１０の識別名称を生成して、可搬型撮影装置１１０を登録する。ＣＰＵ１４５が、生成する識別名称は、当該システム内でのみユニークであればよく、同時刻に別システムで同名の識別名称が使われていてもよく、同じ放射線撮影装置であってもシステムを移ると別の識別名称になっていてもよい。なお、ステップＳ４１２の処理は、画像表示装置１５０のＣＰＵ１５１が行ってもよい。
【００２９】
ステップＳ４１３では、状態表示装置１４０のＣＰＵ１４５は、赤外線通信インターフェース１４３を介して通信情報、システムの識別名称および登録済の放射線撮影装置の識別名称を可搬型撮影装置１１０に送信する。ここで、通信情報とは、無線ＬＡＮの通信を開始するために必要な情報であって、上述したＳＳＩＤ以外にも、無線暗号化用パスフレーズ、物理チャネルなどを含めることができる。図５では、ＳＳＩＤが「ｒｏｏｍＡ」、システムの識別名称が「撮影室Ａ」、放射線撮影装置の識別名称が「半切カセッテＮｏ．２」として送信している。なお、ここでは、識別名称として文字列を送信しているが、バイナリデータを送信してもよい。
【００３０】
ステップＳ４０２では、可搬型撮影装置１１０のＣＰＵ１１６は、通信情報を受信した後、受信した通信情報を設定する。この処理により、可搬型撮影装置１１０と無線ＬＡＮ基地局１６０との間の通信が可能になる。
ステップＳ４０３では、可搬型撮影装置１１０のＣＰＵ１１６は、通信情報の設定完了の通知を状態表示装置１４０に送信する。図５では、ＣＰＵ１１６は設定によりＳＳＩＤが切り替わったことを示すために、直前まで使用していたＳＳＩＤとして「ｒｏｏｍＣ」を通知している。
【００３１】
ステップＳ４１４では、状態表示装置１４０のＣＰＵ１４５は、設定完了の通知を受信した後、可搬型撮影装置１１０を放射線撮影システム１００に追加した旨、すなわち可搬型撮影装置１１０が通信情報の設定完了した旨をユーザに報知する。なお、可搬型撮影装置１１０が通信情報を設定できなかった場合には、状態表示装置１４０のＣＰＵ１４５は、可搬型撮影装置１１０を放射線撮影システム１００に追加できなかった旨をユーザに報知する。したがって、ユーザは画像表示装置１５０まで移動することなく、手元の状態表示装置１４０を確認するだけで、可搬型撮影装置１１０の追加が成功したか否かを確認することができる。
ステップＳ４１５では、状態表示装置１４０のＣＰＵ１４５は、可搬型撮影装置１１０を放射線撮影システム１００に追加した旨の通知を画像表示装置１５０に送信する。
ステップＳ４２１では、画像表示装置１５０のＣＰＵ１５１は、追加した旨の通知を受信した後、使用可能な放射線撮影装置の一覧に可搬型撮影装置１１０を追加して表示部１５６に表示する。
【００３２】
図６は、本実施形態の可搬型撮影装置１１０および状態表示装置１４０の表示内容の一例を示す図である。
まず、可搬型撮影装置１１０は、直前まで別の場所のシステムで使用されており、表示部１１１には、システムの識別名称「撮影室Ｃ」と、当該システム内で割り当てられていた放射線撮影装置の識別名称「半切カセッテＮｏ．１」が表示されている。可搬型撮影装置１１０を、「撮影室Ａ」のシステムで使用する場合、この状態の放射線撮影装置では設定されているＳＳＩＤも前システムのＳＳＩＤのままなので、「撮影室Ａ」の画像表示装置１５０と通信できず、撮影に用いることができない。
【００３３】
ここで、可搬型撮影装置１１０を「撮影室Ｃ」から「撮影室Ａ」に持ち込んで使用するものとする。ユーザは放射線撮影装置を使用場所に持ち込むが、図６（ａ）に示すように、この時点で可搬型撮影装置１１０の表示部１１１には「撮影室Ｃ」が表示されている。このため、「撮影室Ａ」で使用するためには通信の設定が必要であることに、ユーザは認識することができる。
【００３４】
次に、可搬型撮影装置１１０と状態表示装置１４０とを対向させ、ユーザにより通信開始スイッチの押下に応じて、図６（ｂ）に示すように、可搬型撮影装置１１０と状態表示装置１４０との間の通信が開始し、通信情報などの情報が送受信される。可搬型撮影装置１１０が通信情報の設定完了の通知を送信することで、図６（ｃ）に示すように、状態表示装置１４０は可搬型撮影装置１１０をシステムに追加した旨を表示すると共に、可搬型撮影装置１１０の識別名称およびシステムの識別名称を表示する。また、図６（ｃ）に示すように、同時に可搬型撮影装置１１０は、新しく割り当てられたシステムの識別名称「撮影室Ａ」と、放射線撮影装置の識別名称「半切カセッテＮｏ．２」に表示を切り替える。
【００３５】
その後、可搬型撮影装置１１０と状態表示装置１４０とを対向させなくても、無線ＬＡＮ経由で可搬型撮影装置１１０の状態が画像表示装置１５０に送信される。したがって、状態表示装置１４０が画像表示装置１５０を介して可搬型撮影装置１１０の状態を受信して表示することで、ユーザは可搬型撮影装置１１０の状態を確認することができる。
【００３６】
本実施形態によれば、システムの識別名称と放射線撮影装置の識別名称とが、放射線撮影装置と状態表示装置１４０との両方に表示されるので、ユーザは状態表示装置１４０と放射撮影装置との対応関係を容易に認識することができる。
また、システムの識別名称が放射線撮影装置に表示されるので、ユーザが放射線撮影装置を他システムから持ち込んだまま自システムで使用する場合に放射線撮影装置をシステムに追加させる操作をしているか否かを容易に識別することができる。
【００３７】
（第３の実施形態）
第３の実施形態では、放射線撮影システム２００の構成が、第１および第２の実施形態の放射線撮影システム１００と異なっている。なお、第１の実施形態の同様の構成は、同一符号を付して、その説明を省略する。
図７は、本実施形態に係る放射線撮影システム２００の一例を示す模式図である。
放射線撮影システム２００には、可搬型撮影装置１１０（１１０ａ）、可搬型撮影装置１１０（１１０ｂ）、放射線発生装置１３０、状態表示装置１７０、画像表示装置１５０、無線ＬＡＮ基地局１６０が含まれている。
本実施形態の状態表示装置１７０は、無線ＬＡＮインターフェース１７１を有している。すなわち、状態表示装置１７０は、画像表示装置１５０に直接接続されておらず、無線ＬＡＮインターフェース１７１と無線ＬＡＮ基地局１６０との間の通信を介して他の装置と通信する。状態表示装置１７０は他の装置との間で無線通信を行うためにＳＳＩＤなどの通信情報が必要となるが、システム設置時に予め通信情報が設定されているものとする。すなわち、本実施形態の状態表示装置１７０は、無線で動作することにより可搬性を有しているが、システム間を移動することはできない。
【００３８】
また、本実施形態では、放射線撮影装置の識別名称の管理方法が第２の実施形態と異なっている。第２の実施形態では、放射線撮影装置の識別名称が単一のシステム内でのみユニークであるように、各システムにおいて自動で生成していた。本実施形態では、放射線撮影装置の識別名称は放射線撮影装置のプロパティであり、移動する可能性のある複数のシステムにわたってユニークであるように、設置時に予め放射線撮影装置に固定的に設定してある。したがって、本実施形態では、可搬型撮影装置１１０と状態表示装置１７０との間の通信内容が第２の実施形態と異なっている。
【００３９】
以下、放射線撮影システム２００の処理を図８のフローチャートおよび図９を参照して説明する。図９は、通信内容の一例を示す図である。ここでは、可搬型撮影装置１１０ａが撮影室Ａ（ｒｏｏｍＡ）で予め使用され、図１２に示すように、撮影室Ｃ（ｒｏｏｍＣ）で使用されていた可搬型撮影装置１１０ｂを撮影室Ａで使用する。ここでは、図８のフローチャートの処理のうち、第２の実施形態と異なる処理について説明する。
ステップＳ８０１では、可搬型撮影装置１１０ｂのＣＰＵ１１６は、撮影室Ａの無線ＬＡＮ基地局１６０との無線通信を可能にするために通信情報の要求信号を赤外線通信インターフェース１１３を介して状態表示装置１７０に送信する。このとき、可搬型撮影装置１１０ｂのＣＰＵ１１６は、自身の装置情報も状態表示装置１７０に送信する。具体的には、図９に示すように、可搬型撮影装置１１０ｂのＣＰＵ１１６は、自身の製品種別、シリアル番号および識別名称を状態表示装置１７０に送信する。ここでは、可搬型撮影装置１１０ｂにはユニークな識別名称として「半切カセッテＮｏ．２」が予め設定されている。
【００４０】
ステップＳ８１１では、状態表示装置１７０のＣＰＵ１４５は、赤外線通信インターフェース１４３を介して要求信号および装置情報を受信する。状態表示装置１７０のＣＰＵ１４５は、受信した装置情報に基づいて当該可搬型撮影装置１１０ｂが放射線撮影システム２００に登録されているか否かを判定する。ステップＳ８１１の処理は、第２の実施形態と同様、画像表示装置１５０のＣＰＵ１５１が行ってよい。可搬型撮影装置１１０ｂが登録されている場合にはステップＳ８１３に進み、登録されていない場合にはステップＳ８１２に進む。
ステップＳ８１２では、状態表示装置１７０のＣＰＵ１４５は、可搬型撮影装置１１０ｂの識別名称を記憶して、可搬型撮影装置１１０ｂを登録する。なお、ステップＳ８１２の処理は、画像表示装置１５０のＣＰＵ１５１が行ってもよい。
【００４１】
ステップＳ８１３では、状態表示装置１７０のＣＰＵ１４５は、赤外線通信インターフェース１４３を介して通信情報およびシステムの識別名称を可搬型撮影装置１１０ｂに送信する。図９では、ＳＳＩＤが「ｒｏｏｍＡ」、システムの識別名称が「撮影室Ａ」として送信し、放射線撮影装置の識別名称は送信されない。
以降の処理は、図４のフローチャート同様であり、その説明を省略する。
したがって、画像表示装置１５０は可搬型撮影装置１１０ｂから受信した可搬型撮影装置１１０の状態を状態表示装置１７０に送信することにより、状態表示装置１７０は可搬型撮影装置１１０ｂの状態を表示する。具体的には、画像表示装置１５０のＣＰＵ１５１が可搬型撮影装置１１０ｂから無線ＬＡＮ基地局１６０を介して可搬型撮影装置１１０ｂの状態を受信する。画像表示装置１５０のＣＰＵ１５１は、受信した可搬型撮影装置１１０の状態を無線ＬＡＮ基地局１６０を介して状態表示装置１７０に送信する。状態表示装置１７０は可搬型撮影装置１１０の状態を無線ＬＡＮインターフェースを介して受信する。状態表示装置１７０は、受信した状態を表示部１４１に表示したり、報知部１４２に音を発生させたりすることでユーザに報知する。
【００４２】
図１０は、本実施形態の可搬型撮影装置１１０ｂおよび状態表示装置１７０の表示内容の一例を示す図である。
図１０（ａ）に示すように、表示部１１１には、システムの識別名称「撮影室Ｃ」と、可搬型撮影装置１１０ｂのユニークな識別名称「半切カセッテＮｏ．２」が表示されている。
可搬型撮影装置１１０ｂを「撮影室Ｃ」から「撮影室Ａ」に持ち込んで使用するものとする。図１０（ｂ）に示すように、可搬型撮影装置１１０ｂと状態表示装置１７０との間の通信が開始し、通信情報などの情報が送受信された後、図１０（ｃ）のように、状態表示装置１７０および可搬型撮影装置１１０ｂは可搬型撮影装置１１０ｂの識別名称を表示する。このとき、可搬型撮影装置１１０ｂの識別名称は放射線撮影装置のプロパティであるため、通信情報が設定完了した後で放射線撮影装置の名称が変化しない。
【００４３】
また、本実施形態の状態表示装置１７０には操作部１４４の一部として操作スイッチを備えている。ユーザが操作スイッチを操作することで、状態表示装置１７０のＣＰＵ１４５は、可搬型撮影装置１１０ｂに対して操作に応じたコマンド（命令）を送信する。この処理は、命令送信手段の一例に対応する。コマンドとしては、図１１に示すような操作コマンドが存在する。
すなわち、第１のコマンドとして、放射線の待ち受けを停止して電力消費を抑えるための停止コマンドである。第２のコマンドとして、放射線の待ち受けを開始するための起床コマンドである。第３のコマンドとして、通常は放射線の照射に応じて自動的に開閉する電子シャッターを手動で開閉させるためのコマンドである。
【００４４】
ここで、状態表示装置１７０がコマンドを送信する可搬型撮影装置１１０ｂは、状態表示装置１７０が状態を表示する対象として選択されている放射線撮影装置である。例えば、状態表示装置１７０が表示部１４１に可搬型撮影装置１１０ｂの識別名称と状態を表示している場合には、コマンドを可搬型撮影装置１１０ｂに送信する。また、状態表示装置１７０が表示部１４１に可搬型撮影装置１１０ａの識別名称と状態を表示している場合には、コマンドを可搬型撮影装置１１０ａに送信する。放射線撮影装置の識別名称は、状態表示装置１７０の表示部１４１に表示されているため、ユーザは操作対象の放射線撮影装置の名称を手元で確認しながら、操作スイッチを操作することができる。
【００４５】
また、ユーザは操作スイッチで操作する対象の放射線撮影装置を、状態を表示する対象を切り替える手順により、同時に切り替えることができる。すなわち、画像表示装置１５０が表示部１５６に表示する放射線撮影装置の状態を、ユーザが複数の放射線撮影装置の一覧から選択した放射線撮影装置に切り替えると同時に、操作する対象の放射線撮影装置を同じ放射線撮影装置に切り替えることができる。
また、可搬型撮影装置１１０ａまたは可搬型撮影装置１１０ｂと状態表示装置１７０とを対向させて赤外線通信を実行することで、画像表示装置１５０が表示部１５６に表示する放射線撮影装置を赤外線通信した放射線撮影装置に切り替える。また、同時に、状態表示装置１７０は、操作する対象の放射線撮影装置を同じ放射線撮影装置に切り替える。
【００４６】
上述した操作する対象を切り替える方法のうち、対向させて赤外線通信を実行する方法は、本実施形態では状態表示装置１７０が可搬性であるために、他の実施形態よりも簡便になっている。すなわち、可搬型撮影装置１１０ａ、１１０ｂを動かさなくても、状態表示装置１７０を手に持って対向する位置に配置することが可能である。
【００４７】
本実施形態によれば、状態表示装置１７０が放射線撮影装置を操作するための遠隔操作入力装置として使用することができる。
また、状態表示装置１７０により遠隔操作される操作対象の放射線撮影装置を切り替える場合、放射線撮影装置との対応関係を画像表示装置１５０および状態表示装置１７０の何れでも切り替える操作ができる。したがって、ユーザのワークフローの動線の自由度を向上させることができる。
【００４８】
以上、本発明を種々の実施形態と共に説明したが、本発明はこれらの実施形態にのみ限定されるものではなく、本発明の範囲内で変更等が可能であり、上述した実施形態を適時組み合わせてもよい。
例えば、上述した実施形態では、通信手段として無線ＬＡＮ基地局１６０を用いる場合について説明したが、この場合に限られない。例えば、無線ＬＡＮ基地局１６０の機能がソフトウェアにより構成されていてもよい。具体的には、画像表示装置１５０が無線通信回路を有し、画像表示装置１５０のＣＰＵ１５１が、ＨＤＤ１５４に格納されたソフトウェアをＲＡＭ１５３に展開して実行することで、画像表示装置１５０が無線ＬＡＮ基地局１６０の機能を兼ねることができる。
【００４９】
また、上述した実施形態では、無線通信手段が、状態表示装置１４０、１７０の赤外線通信インターフェース１４３および可搬型撮影装置１１０の赤外線通信インターフェース１１３である場合について説明したが、この場合に限られない。例えば、Ｎｅａｒ  Ｆｉｅｌｄ  Ｃｏｍｍｕｎｉｃａｔｉｏｎ規格、Ｔｒａｎｓｆｅｒ  Ｊｅｔ規格、ＺｉｇＢｅｅ規格に基づく通信、Ｂｌｕｅｔｏｏｔｈ（登録商標）規格または８０２．１１規格に基づいて通信を行う赤外線通信インターフェースとしての通信回路でもよい。
【００５０】
また、第３の実施形態では、赤外線通信インターフェース１４３および赤外線通信インターフェース１１３による通信を、無線ＬＡＮインターフェース１７１、無線ＬＡＮ基地局１６０および無線ＬＡＮインターフェース１１２の通信に置換してもよい。すなわち、第３の実施形態において、赤外線通信インターフェース１４３および赤外線通信インターフェース１１３を取り除いて構成してもよい。この場合、状態表示装置１７０は、無線ＬＡＮインターフェース１７１からＷＰＳ（Ｗｉｆｉ  Ｐｒｏｔｅｃｔｅｄ  Ｓｅｔｕｐ）などの技術により無線ＬＡＮの無線通信パラメータを可搬型撮影装置１１０に設定することができる。したがって、この場合には、状態表示装置１７０の無線ＬＡＮインターフェース１７１が、要求信号および装置情報を受信する第２の受信手段の一例に対応すると共に、放射線撮影装置の状態を受信する第１の受信手段の一例にも対応する。
【００５１】
また、上述した実施形態では、状態表示装置１４０、１７０と、放射線撮影装置とが無線通信する場合について説明したが、この場合に限られない。例えば、状態表示装置１４０、１７０にコネクタなどを備え、状態表示装置１４０、１７０と、放射線撮影装置との間を有線通信する場合であってもよい。
【００５２】
また、本発明は、以下の処理を実行することによっても実現される。すなわち、上述した実施形態の機能を実現するプログラムを、ネットワークまたは各種記憶媒体を介してシステム或いは装置に供給し、そのシステム或いは装置のコンピュータ（ＣＰＵなど）がプログラムを読み出して実行する処理である。
【符号の説明】
【００５３】
１００：放射線撮影システム  １１０：可搬型撮影装置  １１１：表示部  １１２：無線ＬＡＮインターフェース  １１３：赤外線通信インターフェース  １２０：据置型撮影装置  １３０：放射線発生装置  １４０：状態表示装置  １４１：表示部  １４２：報知部  １４３：赤外線通信インターフェース  １４４：操作部  １５０：画像表示装置  １６０：無線ＬＡＮ基地局  ２００：放射線撮影システム  １７０：状態表示装置  １７１：無線ＬＡＮインターフェース
【図１】
2014171540.tif 000003
【図２】
2014171540.tif 000004
【図３】
2014171540.tif 000005
【図４】
2014171540.tif 000006
【図５】
2014171540.tif 000007
【図６】
2014171540.tif 000008
【図７】
2014171540.tif 000009
【図８】
2014171540.tif 000010
【図９】
2014171540.tif 000011
【図１０】
2014171540.tif 000012
【図１１】
2014171540.tif 000013
【図１２】
2014171540.tif 000014